(57)【要約】【解決課題】確実且つ有効に消波作用を発揮し、以て、津波、高波等の被害の発生を有効に防止すると共に、砂浜の育成を可能にする消波装置を提供することを課題とするものであって、円柱体の側面の一部を長さ方向に除去して流入側面２を形成して成る断面Ｃ字形状の消波体１、１ａを１又は複数、流入側面２を波の進行方向に向け且つ波の進行方向に対して傾斜させて、沿岸部の比較的浅瀬の水中に設置する消波装置であって、長尺消波体１の場合には適宜間隔置きに縦長の逃がし孔４が形成され、短尺消波体１ａの場合には、間隙５を保持して開口端面同士を近接対向させて多数一直線状に配置され、波がそれらの沖側端部に当たった際に、それらの陸側端部内との間に生ずる水流圧力差により、消波体内に流れが生じて消波が行われる。
2011065206.tif 000002
【特許請求の範囲】
【請求項１】
円柱体の一部を長さ方向に除去して流入側面を形成して成る断面Ｃ字形状の消波体を１又は複数、前記流入側面を波の進行方向に向け且つ波の進行方向に対して傾斜させて、沿岸部の比較的浅瀬の水中に設置する消波装置であって、前記消波体として長尺消波体と短尺消波体とが含まれ、長尺消波体には、適宜間隔置きに縦長の逃がし孔を形成し、短尺消波体を複数用いる場合は、各短尺消波体の開口端面同士を間隙を保持して近接対向させて一直線状に配置し、波が前記長尺消波体の沖側端部又は前記短尺消波体列の沖側端部
に当たった際に、それらの沖側端部内と前記長尺消波体の陸側端部又は前記短尺消波体列の陸側端部内との間に生ずる水流圧力の差により、前記長尺消波体内又は前記短尺消波体列内に流れが生ずるようにしたことを特徴とする消波装置。
【請求項２】
前記消波体と同一形状であってそれと同径又はそれより小径の副消波体を、前記消波体の上側及び/又は下側に、適宜隙間を設けて連設した、請求項１に記載の消波装置。
【請求項３】
前記消波体は固定杭を有していて、前記固定杭を介して海中に固定される、請求項１又は２に記載の消波装置。
【請求項４】
前記固定杭は、前記消波体の後面に設置された固定杭取付部を介して前記消波体に取り付けられる、請求項３に記載の消波装置。
【発明の詳細な説明】
【技術分野】
【０００１】
本発明は消波装置、より詳細には、海や河川の水中に設置されて消波機能を発揮し、以て津波や高波等による被害を未然に防止するための消波装置に関するものである。
【背景技術】
【０００２】
津波や高波等による被害を防止するために、沿岸部の比較的浅瀬に設置される消波装置が種々考えられている。水面より露出するくの字状の堤体を、同一方向に向けて複数並設し、各堤体間にくの字状の水路を設けたもの（特開平６−２１２６１１号公報）や、全方位の波向きに対して弧状に（略半球状に）形成されると共に、内部に中空室が設けられ、この中空室を、主たる波向きに対向する部位に設けた開口部を介して海中と連通させたもの（特開平１０−２３７８４２号公報）等がその例である。  【０００３】
これら従来の消波装置は、その構造上それ自体高価となるだけでなく、設置にも手間がかかり、トータルコストが嵩む欠点がある。この欠点を解消するために本発明者は先に、単純な構造で、装置自体のコスト及び設置コストが比較的低廉で、しかも有効な消波効果を有する消波方法及び消波装置を開示した（特許第３６０９０５２号）。  【０００４】
その発明に係る消波装置は、長さ方向に伸びる開口側面を有する断面Ｃ字形状の消波体を１又は複数、開口側面を波の進行方向に向け且つ波の進行方向に対して傾けて、沿岸部の比較的浅瀬の水中に設置して成り、波が消波体の沖側端部に当たった際に消波体の前記沖側端部内と陸側端部内との間に生ずる水流圧力差により、消波体内に流れが生ずることを可能にしたことを特徴とするものである（図７参照）。  【０００５】
このように、従来の消波装置においては、長さ方向に伸びる開口側面を有する断面Ｃ字形状の消波体を１又は複数、開口側面を波の進行方向に向け且つ波の進行方向に対して４５度傾けた状態で一列に整列させて、沿岸部の比較的浅瀬の水中に設置される構成のため、消波体間に大きな隙間ができる（図７参照）。そのためにその隙間から波が抜け、その抜けた波が消波に影響することがある。
【先行技術文献】
【特許文献】
【０００６】
【特許文献１】特開平６−２１２６１１号公報
【特許文献２】特開平１０−２３７８４２号公報
【特許文献３】特許第３６０９０５２号公報
【発明の概要】
【発明が解決しようとする課題】
【０００７】
上述したように、従来の消波装置の場合は、消波体間の隙間から抜けた波が消波作用に悪影響を及ぼすおそれがある。そこで本発明は、そのような問題がなく、確実且つ有効に消波作用を発揮し、以て、津波、高波等の被害の発生を有効に防止すると共に、砂浜の育成を可能にする消波装置を提供することを課題とする。
【課題を解決するための手段】
【０００８】
上記課題を解決するための請求項１に記載の発明は、円柱体の一部を長さ方向に除去して流入側面を形成して成る断面Ｃ字形状の消波体を１又は複数、前記流入側面を波の進行方向に向け且つ波の進行方向に対して傾斜させて、沿岸部の比較的浅瀬の水中に設置する消波装置であって、前記消波体として長尺消波体と短尺消波体とが含まれ、長尺消波体には、適宜間隔置きに縦長の逃がし孔を形成し、短尺消波体を複数用いる場合は、各短尺消波体の開口端面同士を間隙を保持して近接対向させて一直線状に配置し、波が前記長尺消波体の沖側端部又は前記短尺消波体列の沖側端部に当たった際に、それらの沖側端部内と前記長尺消波体の陸側端部又は前記短尺消波体列の陸側端部内との間に生ずる水流圧力の差により、前記長尺消波体内又は前記短尺消波体列内に流れが生ずるようにしたことを特徴とする消波装置である。  【０００９】
一実施形態においては、前記消波体と同一形状であってそれと同径又はそれより小径の副消波体が、前記消波体の上側及び/又は下側に、適宜隙間を設けて連設される。また、前記消波体は固定杭を有していて、前記固定杭を介して海中に固定される。
【発明の効果】
【００１０】
本発明は上述した通りであって、波が長尺消波体の沖側端部又は短尺消波体列の沖側端部に当たった際に、前記長尺消波体の陸側端部又は前記短尺消波体列の陸側端部内との間に生ずる水圧差により、前記長尺消波体内又は前記短尺消波体列内に流れが生ずるようにしたものであり、長尺消波体の逃がし孔又は短尺消波体間の隙間から不必要に波が抜けて消波作用に悪影響を及ぼすようなことがなく、確実且つ有効に消波作用を発揮し、以て、津波、高波等の被害の発生を極力防止すると共に、砂浜の育成を可能にする効果がある。
【図面の簡単な説明】
【００１１】
【図１】本発明に係る消波装置の一実施例の斜視図である。
【図２】本発明に係る消波装置の他の実施例の斜視図である。
【図３】本発明に係る消波装置の更に他の実施例の斜視図である。
【図４】本発明に係る消波装置の設置方法を示す図である。
【図５】本発明に係る消波装置の設置方法を示す図である。
【図６】本発明に係る消波装置の使用状態図である。
【図７】従来の消波装置の使用状態を示す図である。
【発明を実施するための形態】
【００１２】
本発明の好ましい実施の形態を、添付図面に依拠して説明する。本発明に係る消波装置は、円柱体の側面の一部を長さ方向に除去して流入側面２を形成した、１又は複数の断面Ｃ字形状の消波体１、１ａで構成され、その流入側面２を波の進行方向に向け、且つ、波の進行方向に対して、例えば、４０度ほど傾斜させて、沿岸部の比較的浅瀬の水中に設置されるものである。  
【００１３】
消波体には、長尺消波体１と短尺消波体１ａとが含まれ、長尺消波体１の場合は、１又は数個一直線上に並べて用いられ、短尺消波体1ａの場合には、多数一直線上に並べて用いられる。各消波体１、１ａには、その底面又は後面から下方に延びる固定杭３が設置され、各消波体１、１ａは、この固定杭３を介して海中に固定される。  
【００１４】
例えば固定杭３は、図４及び図５に示すように、消波体１、１ａの後面に一体的に設けた固定杭取付部１７に取り付けられる。その場合、固定杭３の上部にくびれ部１８を設けた挿入部１９が形成され、固定杭取付部１７に、挿入部１９を挿入するための挿入孔２０が形成される。そして、挿入孔２０の中間部に抉り部２１が形成されると共に、抉り部２１から外側面に抜ける注入路２２が形成される。  
【００１５】
固定杭３の取り付けに当っては、その挿入部１９を挿入孔２０内に挿入した後、注入路２２から樹脂モルタル等の接合剤２３を注入する。接合剤２３は、抉り部２１とくびれ部１８とで形成される断面ダイヤ形の環溝を充填し、固化する。かくして、固定杭３が固定杭取付部１７から抜けることなく、確固と固定される。  
【００１６】
この固定杭３を備えた消波体１、１ａの設置作業は、消波体１、１ａの上面にワイヤー等の吊下手段２５を配設し、これにクレーンフック２６を掛けて吊るし、海底に降ろすことによって行われる（図４参照）。この設置高さ調整を含めた海底への設置作業を容易且つ迅速に行なわせるため、固定杭３に縦方向に延びる水路２７が形成され、この水路２７内に高圧水が供給される。  
【００１７】
供給された高圧水は、水路先端の噴射ノズル２９から海底に向けて噴射され、その部分の砂を吹き上げる。これにより、固定杭３の埋設孔が形成されるので、そのまま消波体１、１aを降ろしていけば、固定杭３はその埋設孔内に容易且つスムーズに進入していく。固定杭３を所望部位まで埋入させたところで、高圧水の供給を止めると共にクレーンフック２６を外すが、その後直ちに固定杭３の回りの砂が締まるため、固定杭３は確固と固定される。  
【００１８】
なお、固定杭３の中間部に、水平方向に広がるストッパー３０を設けておけば、設置時において回りの砂が締まる前に固定杭３が沈下することが、確実に防止される。また、消波体１、１aの設置場所を移動させる場合や、消波体１の海底からの高さ調整をするような場合にも、同様に固定杭３の水路２７に高圧水を供給すれば、周囲の砂が吹き崩されるので、容易に引き上げ、また、引き抜くことが可能となる。  
【００１９】
消波体１、１ａは、設置場所において想定される高波や津波の規模に応じたサイズとされ、例えば、長尺消波体１の場合には、長さが１５ｍ前後で直径が２〜５ｍ程度のものとされ、また、短尺消波体１ａの場合には、長さが３ｍ前後で直径が２〜５ｍ程度のものとされる。  
【００２０】
長尺消波体１には、適宜間隔置きに縦長の逃がし孔４が形成され、長尺消波体１内を流れる波の一部がそこから流出できるようにされる（図１参照）。このように逃がし孔４を設けることにより、長尺消波体１内に流入した波が崩れて分散しやすくなり、消波作用が促進される。また、同時に、長尺消波体１に過度に水流圧力がかかって、長尺消波体１が損傷することが防止される。  
【００２１】
また、短尺消波体1ａが多数並べて用いられる場合には、各短尺消波体１ａは開口端面同士を適宜間隙５を保持して近接対向させて、一直線状に配置される（図２参照）。この間隙５は、逃がし孔４と同様の作用を果たし、間隙５から波の一部が流出することで、消波作用が促進され、また、過度の水流圧力によって短尺消波体１ａが損傷することが防止される。  
【００２２】
各消波体１、１ａの端面形状は一般に、上述したようなＣ字形状とされるが、同サイズ又はそれよりも小径のＣ字形状の筒体で形成される副消波体６を、消波体１、１ａの上側又は下側（図３Ａ）、あるいは、上下両側（図３Ｂ）に、適宜隙間７を設けて連設することとしてもよい（図３Ｂ）。この場合においても、長尺消波体１には上記縦長の逃がし孔４が設けられ、また、短尺消波体1ａの場合には、間隙５を保持して連設される。なお、隙間７も、上記逃がし孔７や間隙５と同じ作用を果たす。  
【００２３】
上述したように、長尺消波体１の場合は、１又は数個一直線上に並べて配置され、短尺消波体1ａの場合には、多数一直線上に並べて配置され、各消波体１、１ａは、固定杭３を介して沿岸部の比較的浅瀬の水中に設置される。  
【００２４】
このようにして設置した消波装置に対し、波ｗが到来すると、波ｗは先ず、その進行方向に対して、例えば４０度傾斜させて設置されている、長尺消波体１又は短尺消波体１ａ列の一番手前側（沖側）端部に当たり、長尺消波体１又は短尺消波体１ａ列の全体をみると、その部分の水流圧力が最も高くなる。従って、長尺消波体１又は短尺消波体１ａ列の前後において、水流圧力に大きな差が生じ、その結果、長尺消波体１又は短尺消波体１ａ列内において、水流圧力の高い沖側から水流圧力の低い陸側への流れが生じ、これにより波ｗの山が崩れ（図６Ａ参照）、より低い波高となって、次々と長尺消波体１又は短尺消波体１ａ列を通り過ぎていく（図６Ｂ参照）。  
【００２５】
この現象が、波ｗの進行に伴なって長尺消波体１又は短尺消波体１ａ列の全長に亘って起こる。その場合、波ｗの山が長尺消波体１又は短尺消波体１ａ列の中間辺りに到ると、長尺消波体１又は短尺消波体１ａ列内の水流は前後両方向に生ずるようになる。それにより、波ｗが長尺消波体１又は短尺消波体１ａ列を越える際に、波高の低減現象が次々と起こり、全体的に有効な消波が行われるのである。  
【００２６】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図１】
2011065206.tif 000003
【図２】
2011065206.tif 000004
【図３】
2011065206.tif 000005
【図４】
2011065206.tif 000006
【図５】
2011065206.tif 000007
【図６】
2011065206.tif 000008
【図７】
2011065206.tif 000009
【手続補正書】
【提出日】平成25年1月28日(2013.1.28)
【手続補正１】
【補正対象書類名】特許請求の範囲
【補正対象項目名】全文
【補正方法】変更
【補正の内容】
【特許請求の範囲】
【請求項１】
円柱体の一部を長さ方向に除去して流入側面を形成して成る断面Ｃ字形状の消波体を、前記流入側面を波の進行方向に向け且つ波の進行方向に対して傾斜させて、沿岸部の比較的浅瀬の水中に設置される消波装置であって、
前記消波体は、適宜間隔置きに縦長の逃がし孔を形成した長尺消波体であり、波が前記長尺消波体の沖側端部に当たった際に、その沖側端部内と陸側端部内との間に生ずる水流圧力の差により前記長尺消波体内に流れが生ずるようにし、その流れの一部が前記逃がし孔から流出することにより、前記長尺消波体内に流入した波が崩れて分散することで消波作用が促進されるようにしたことを特徴とする消波装置。
【請求項２】
前記長尺消波体と同一形状であってそれと同径又はそれより小径の副長尺消波体を、前記長尺消波体の上側及び／又は下側に、適宜隙間を設けて連設した、請求項１に記載の消波装置。
【請求項３】
円柱体の一部を長さ方向に除去して流入側面を形成して成る断面Ｃ字形状の消波体を、前記流入側面を波の進行方向に向け且つ波の進行方向に対して傾斜させて、沿岸部の比較的浅瀬の水中に設置される消波装置であって、
前記消波体は短尺消波体を複数、各短尺消波体の開口端面同士を間隙を保持して近接対向させて一直線状に配置した短尺消波体列であり、波が前記短尺消波体列の沖側端部に当たった際に、その沖側端部内と陸側端部内との間に生ずる水流圧力の差により、前記短尺消波体列内に流れが生ずるようにし、その流れの一部が前記間隙から流出することにより、前記短尺消波体列内に流入した波が崩れて分散することで消波作用が促進されるようにしたことを特徴とする消波装置。
【請求項４】
前記短尺消波体と同一形状であってそれと同径又はそれより小径の副短尺消波体を、前記短尺消波体それぞれの上側及び／又は下側に、適宜隙間を設けて連設した、請求項３に記載の消波装置。
【手続補正２】
【補正対象書類名】明細書
【補正対象項目名】０００８
【補正方法】変更
【補正の内容】
【０００８】
上記課題を解決するための請求項１に記載の発明は、円柱体の一部を長さ方向に除去して流入側面を形成して成る断面Ｃ字形状の消波体を、前記流入側面を波の進行方向に向け且つ波の進行方向に対して傾斜させて、沿岸部の比較的浅瀬の水中に設置される消波装置であって、前記消波体は、適宜間隔置きに縦長の逃がし孔を形成した長尺消波体であり、波が前記長尺消波体の沖側端部に当たった際に、その沖側端部内と陸側端部内との間に生ずる水流圧力の差により前記長尺消波体内に流れが生ずるようにし、その流れの一部が前記逃がし孔から流出することにより、前記長尺消波体内に流入した波が崩れて分散することで消波作用が促進されるようにしたことを特徴とする消波装置である。
【手続補正３】
【補正対象書類名】明細書
【補正対象項目名】０００９
【補正方法】変更
【補正の内容】
【０００９】
上記課題を解決するための請求項３に記載の発明は、円柱体の一部を長さ方向に除去して流入側面を形成して成る断面Ｃ字形状の消波体を、前記流入側面を波の進行方向に向け且つ波の進行方向に対して傾斜させて、沿岸部の比較的浅瀬の水中に設置される消波装置であって、前記消波体は短尺消波体を複数、各短尺消波体の開口端面同士を間隙を保持して近接対向させて一直線状に配置した短尺消波体列であり、波が前記短尺消波体列の沖側端部に当たった際に、その沖側端部内と陸側端部内との間に生ずる水流圧力の差により、前記短尺消波体列内に流れが生ずるようにし、その流れの一部が前記間隙から流出することにより、前記短尺消波体列内に流入した波が崩れて分散することで消波作用が促進されるようにしたことを特徴とする消波装置である。
【国際調査報告】
2011065206.tif 000010
2011065206.tif 000011
2011065206.tif 000012
2011065206.tif 000013